(57)【要約】【課題】ステープル等の封緘材を用いることなく封緘する。【解決手段】隣接順に折り重ねて天面11を構成する第１〜４のフラップ７、８、９、10を設け、第１フラップ７における第４フラップ10との重合部には、その折り重ね時に第４フラップ10に対向する様に引き起こされて第４フラップ10上に折り重ねられる舌片13を切り起し形成し、該舌片13には第４フラップ10との折り重ね状態で第４フラップ10に設けた差込み穴15に差込みロックする差込み部16を設ける。【選択図】図６
2006082829.tif 000002
【特許請求の範囲】
【請求項１】
隣接順に折り重ねて天面を構成する第１〜４のフラップを設け、第１フラップにおける
第４フラップとの重合部には、その折り重ね時に第４フラップに対向する様に引き起こさ
れて第４フラップ上に折り重ねられる舌片を切り起し形成し、該舌片には第４フラップと
の折り重ね状態で第４フラップに設けた差込み穴に差込みロックする差込み部を設けたこ
とを特徴とする包装箱。
【請求項２】
第４フラップの先端には、舌片の幅員に対応してこれを案内支持する切欠を設けたこと
を特徴とする請求項１記載の包装箱。
【請求項３】
差込み部は下方屈曲して差込み穴へ挿入可能な頸部と、該頸部の左右に差込み穴より幅
広に突設されると共に、差込み穴に押込まれて掛止する掛止部とから成ることを特徴とす
る請求項１又は２記載の包装箱。
【請求項４】
差込み穴の口内には、差込み部の抜出用レバーを片持ち梁状に連設したことを特徴とす
る請求項１、２又は３記載の包装箱。
【発明の詳細な説明】
【技術分野】
【０００１】
本発明は、天面がフラップで構成される包装箱に関する。
【背景技術】
【０００２】
従来、キャベツやバナナ等の野菜や果物を種別に所定数量分をひとまとめに梱包して運
搬する際には一般に段ボール箱が用いられている。
箱の形式は内容物やその他の諸条件により適宜選択使用される（例えば、非特許文献１
参照）が、上記野菜等の梱包には、多くの場合、天面を構成する各フラップ（外フラップ
及び内フラップ）が同一長さで封緘状態で外フラップが中央で突き合う様に形成されたも
の（例えば非特許文献２参照）、や封緘状態で対向するフラップの先端間に間隙を有し、
天面中央に矩形状の開口部を有する様に形成されたもの（例えば非特許文献３参照）が用
いられている。
上記のいずれの形式の包装箱にあっても、その箱内に内容物を納めた後、天面のフラッ
プをステープラー用いて封緘している。
【非特許文献１】「段ボール箱の形式  ＪＩＳ  Ｚ  １５０７」、財団法人日本規格協会、平成元年７月３１日発行、ｐ．２〜３、表２、ｐ．１２〜１３、参考３、例１〜３
【非特許文献２】「段ボール箱の形式  ＪＩＳ  Ｚ  １５０７」、財団法人日本規格協会、平成元年７月３１日発行、ｐ．２、表２、コード番号０２０１
【非特許文献３】「段ボール箱の形式  ＪＩＳ  Ｚ  １５０７」、財団法人日本規格協会、平成元年７月３１日発行、ｐ．３、表２、コード番号０２０９
【発明の開示】
【発明が解決しようとする課題】
【０００３】
しかしながら、上記の様なステープル方式の封緘では、作業者が手早く作業しようとす
るため、フラップを押さえている作業者の手にステープルを打ち込む危険や、ステープル
が確実に打ち込まれないまま輸送中に外れて内容物に混入する危険を招来している。
【課題を解決するための手段】
【０００４】
本発明は、隣接順に折り重ねて天面を構成する第１〜４のフラップを設け、第１フラッ
プにおける第４フラップとの重合部には、その折り重ね時に第４フラップに対向する様に
引き起こされて第４フラップ上に折り重ねられる舌片を切り起し形成し、該舌片には第４
フラップとの折り重ね状態で第４フラップに設けた差込み穴に差込みロックする差込み部
を設けることにより、ステープラーなどの封緘具を用いることなく、簡単にして確実に封
緘できる様にして、上記課題を解決する。
又、第４フラップの先端には、舌片の幅員に対応してこれを案内支持する切欠を設ける
ことにより、封緘状態において第４フラップ上に折り重ねられた舌片の位置を保持して包
装箱の変形を防止する様にしている。
更に、差込み部を、下方屈曲して差込み穴へ挿入可能な頸部と、該頸部の左右に差込み
穴より幅広に突設されると共に、差込み穴に押し込まれて掛止する掛止部とで構成するこ
とにより、差込み部をワンタッチで差込みロックできる様にしたり、又差込み穴の口内に
は、差込み部の抜出用レバーを片持ち梁状に連設し、差込み穴に差込み部と共にその下部
に押し込まれた抜出用レバーを差込み穴から引き上げることで差込み部によるロックを簡
単に解除できる様にしている。
【発明の効果】
【０００５】
要するに請求項１に係る発明によれば、第１〜４のフラップを隣接順に折り重ねて天面
を構成する包装箱であって、最初に折り曲げられた第１フラップにおいて最後に折り曲げ
られる第４フラップとの重合部には、その折り重ね時に第４フラップに対向する様に引き
起して第４フラップ上に折り重ねる舌片を切り起し形成し、該舌片には第４フラップとの
折り重ね状態で第４フラップに設けた差込み穴に差込みロックする差込み部を設けたので
、ステープル、粘着テープ等の封緘材を用いることなく天面を簡単容易に封緘でき、従来
の不具合を解消できると共に、封緘材等に要する費用をも省略でき、経済的な包装箱を提
供できる。
【０００６】
請求項２に係る発明では、舌片の幅員に対応してこれを案内支持する切欠を第４フラッ
プの先端に設けたので、第４フラップ上に舌片を折り重ねるに際し、舌片の左右が切欠で
案内支持されるため、舌片に設けた差込み部を第４フラップに設けた差込み穴に整合させ
られ、確実に差込み部を差込み穴に差込みロックできると共に、かかる差込み部のロック
状態において、包装箱を持ち上げて運ぶ時に内容物の重量や重量移動により包装箱が歪ん
だとしても、舌片は切欠によって左右にぶれない様にガイドされ、その折り重ね状態が定
位置で保持されるため、包装箱の強度を損なうことがなく、又差込み部によるロックが勝
手に解除されることがない。
【０００７】
請求項３に係る発明によれば、差込み部は、下方屈曲して差込み穴へ挿入可能な頸部と
、該頸部の左右に差込み穴より幅広に突設されると共に、差込み穴に押し込まれて掛止す
る掛止部とから成るので、舌片を第４フラップ上に折り重ねた状態で、単に差込み部を差
込み穴に押し込むだけで簡単容易にロックできる。
【０００８】
請求項４に係る発明では、差込み穴の口内に差込み部の抜出用レバーを片持ち梁状に連
設したので、差込み部によるロック時に抜出用レバーは差込み穴に差込み部と共にその下
部に傾斜した状態で押し込まれることとなり、かかる状態において差込み穴から外方へ抜
出用レバーを引き上げることにより、差込みロックされた差込み部を強制的にして一気に
差込み穴から抜出させることができる。
よって、抜出用レバーの引き上げ操作だけで差込み部によるロックを簡単容易に解除で
き、これにより各フラップによる折り重ね保持状態を解除して包装箱から内容物を取り出
すことが出来る等その実用的効果甚だ大である。
【発明を実施するための最良の形態】
【０００９】
以下本発明の実施の形態としての実施例を図面に基づいて説明する。
図に示す包装箱１は、段ボールや板紙製から成り、外フラップ2aと内フラップ2bを折り
込んで形成される方形状の底部２の四辺より前後左右の側壁３、４、５、６を立ち上がり
形成し、各側壁３、４、５、６の上端には第１〜第４のフラップ７、８、９、10を連設し
ている。
この包装箱１は、隣接順に第１〜４フラップ７、８、９、10を折り重ねて天面11を構成
するものにして、図示例の包装箱１にあっては、各フラップ７、８、９、10は、その長さ
が同一に形成され、各フラップ７、８、９、10を折り重ねた状態で、対向する第１フラッ
プ７と第３フラップ９の先端間、第２フラップ８と第４フラップ10の先端間に間隙を有し
、中央に方形状の開口部12を有する額縁状の天面11が形成される（図１〜７参照）。
尚、本実施例では、上記の様に中央に開口部12を有する額縁状の天面11を形成するもの
を示したが、かかる形式に限定されることなく、各フラップ７、８、９、10の折り重ね状
態で幅広の第１、第３フラップ７、９の先端が隙間を有せず突き合わされて包装箱１の上
方開口部を閉塞する天面11を形成する様に設定しても良い。
【００１０】
第１フラップ７における第４フラップ10との重合部には、その折り重ね時に第４フラッ
プ10に対向する様に一旦引き起こされた後に第４フラップ10上に折り重ねられる帯状の舌
片13を切り起し形成し、該舌片13はその基端を屈曲部として俯仰自在と成している。
舌片13は、第１フラップ７において、第４フラップ10との隣接側端縁7aに対し直角にし
て且つ第４フラップ10の長さに対応した切込みＳによって形成されており、舌片13の幅員
は、第１フラップ７の長さの約２分の１と成している。
又、第４フラップ10の先端において、舌片13が折り重ねられる部位には、舌片13の幅員
に対応してこれを案内支持する凹状の切欠14を設けている。
そして、舌片13の先端には、第４フラップ10との折り重ね状態で第４フラップ10に設け
た差込み穴15に差込みロックする差込み部16を設けている。
【００１１】
差込み穴15は刳り抜き形成されておらず、その口内に存する差込み穴15と形状対応した
取り残し片17の一部が第４フラップ10に連設されており、差込み穴15への差込み部16の差
込みにより取り残し片17が第４フラップ10との連設部位を屈曲部18として下方屈曲し、差
込み穴15が形成される様に成されたものである。
即ち、図８に示す様に、第４フラップ10における差込み部16との重合部において、頸部
20が屈曲される基端より第４フラップ10の先端寄りに所定間隔離間した部位を前記連設部
位（屈曲部18）と成し、該屈曲部18の左右端から図５の如く第４フラップ10の基端へ渡っ
て徐々に間隔が幅広となる２条の切込みＳ１を形成すると共に、該切込みＳ１の終端間で
屈曲部18に平行な切込みＳ２を第４フラップ10基端に形成することにより、口内に取り残
し片17が存する略帯状の差込み穴15を形成している。
そして、上記取り残し片17は、差込み穴15の口内に屈曲部18を以て片持ち梁状に連設さ
れた差込み部16の抜出用レバー17と成している。
又、第４フラップ10を連設した側壁６の上部には、差込み穴15へ差込み部16が差込みロ
ックされることで、抜出用レバー17が下方屈曲することにより開口する差込み穴15に連続
する刳り抜き穴19を開設している。
【００１２】
差込み部16は、舌片13の先端をＴ字状に切り込み形成して成り、下方屈曲して差込み穴
15へ挿入可能な幅を有する細長な頸部20と、該頸部20の先端に連続してその左右に差込み
穴15より幅広に外方突設されると共に、差込み穴15に押し込まれて掛止する掛止部21とか
ら成る。
尚、本実施例における包装箱１は、展開図（図９）で示す様に、その側壁３、４、５、
６、フラップ2a、2b、７、８、９、10及び継ぎ代22が一体形成されたワンピースで構成さ
れたものを示したが、これに限定されることなく、本発明は、身と蓋とから成るツーピー
スの包装箱において蓋の天面がフラップで構成されたものにも適用でき、要するに天面が
フラップで構成される包装箱であれば適用可能である。
尚、図中23は側壁４、６の上方中央に刳り抜き形成した手掛け穴である。
【００１３】
上記の様に構成された包装箱１を封緘するには、先ず、第１〜第４フラップ７、８、９
、10を順次に折り重ねる（図１〜５参照）。
ここに第４フラップ10が第１フラップ７に折り重ねられるに際しては、舌片13を一旦引
き起し、残存する第１フラップ７上に第４フラップ10を折り重ね、その後に第４フラップ
10上に舌片13を折り重ねる（図５〜８参照）。
舌片13の第４フラップ10上への折り重ねでは、舌片13の基端側が第４フラップ10の先端
に設けた切欠14で案内されるため、舌片13先端の差込み部16は第４フラップ10に設けた差
込み穴15の口内に存する抜出用レバー17上に確実に重ね合わされる。
そして、差し込み部16を下方へ押圧すると、差し込み部16はその頸部20の基端から下方
屈曲すると同時に掛止部21の左右片が差込み穴15に対応する様に一旦屈曲変形して差込み
穴15を通過した後、弾性的に復帰して差込み穴15の裏側周縁に抜け止め掛止することで差
込みロックする（図６〜８参照）。
【００１４】
差込み部16の押圧による差込み穴15への挿入に応じて抜出用レバー17もその屈曲部18か
ら下方傾斜して差込み部16下部に位置し、これにより差込み穴15が開口し、該差込み穴15
は側壁６に設けた刳り抜き穴19と連通する。
この様に差込み部16が差込み穴15に差込みロックされることで、各フラップ７、８、９
、10は封緘され、図６の如く額縁状の天面11が形成保持される。
かかる状態において、包装箱１を持ち上げて運ぶ時に内容物の重量や重量移動により包
装箱１が歪んだとしても、舌片13は上記切欠14によって左右にぶれない様にガイドされ、
その折り重ね状態が定位置で保持され、包装箱１の強度が保持される。
【００１５】
天面11を開封するには、刳り抜き穴19から指を差し込んで抜出用レバー17を上方へ引き
上げて差込み穴15から差込み部16と共に強制抜出することにより、差込み部16によるロッ
クが解除される。
その後、上記と逆の手順で舌片13、各フラップ７、８、９、10の折り重ねを解くことで
天面11が開封される。
【図面の簡単な説明】
【００１６】
【図１】各フラップで天面を構成する前の包装箱の平面図である。
【図２】第１フラップを折曲した状態を示す包装箱の平面図である。
【図３】第２フラップを折曲した状態を示す包装箱の平面図である。
【図４】第３フラップを折曲した状態を示す包装箱の平面図である。
【図５】舌片を引き起し第４フラップを折曲した状態を示す包装箱の斜視図である。
【図６】差込み部を差込みロックした状態の包装箱の斜視図である。
【図７】同上平面図である。
【図８】舌片を折り重ねて差込み部を差込みロックするまでの工程を示す要部拡大断面図である。
【図９】包装箱の展開図である。
【符号の説明】
【００１７】
７  第１フラップ
８  第２フラップ
９  第３フラップ
10  第４フラップ
11  天面
13  舌片
14  切欠
15  差込み穴
16  差込み部
17  抜出用レバー
20  頸部
21  掛止部
【図１】
2006082829.tif 000003
【図２】
2006082829.tif 000004
【図３】
2006082829.tif 000005
【図４】
2006082829.tif 000006
【図５】
2006082829.tif 000007
【図６】
2006082829.tif 000008
【図７】
2006082829.tif 000009
【図８】
2006082829.tif 000010
【図９】
2006082829.tif 000011